(57)【要約】【課題】  ティッシュペーパーを容易に携帯出来ると共に、緊急時にもティッシュペーパーの取出しが極めて容易で、安価な携帯用ティッシュペーパー包装体を提供する。【解決手段】  包装体本体２内にティッシュペーパー３が折り畳まれ重ねて収納され、包装体本体２の前面にティッシュペーパー取出口４が形成され、取出口４よりティッシュペーパー３を取り出せるように構成された携帯用のティッシュペーパー包装体１に於いて、前記包装体本体２の後面に、平行する複数本のミシン目５，５…を刻設し、ミシン目５，５…を破断することにより偶数個の開口部６，６…を形成し、偶数個の開口部６，６…に使用者が装着するベルト７を順次出し入れする如く貫通させ、ベルト７に包装体本体２を保持させるように構成した携帯用のティッシュペーパー包装体を提供する。【選択図】  図１
0003111693.tif 000002
【実用新案登録請求の範囲】
【請求項１】
包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の後面に、平行する複数本のミシン目を刻設し、該ミシン目を破断することにより偶数個の開口部を形成し、該偶数個の開口部に使用者が装着するベルトを順次出し入れする如く貫通させ、該ベルトに該包装体本体を保持させるように構成したことを特徴とする携帯用のティッシュペーパー包装体。
【請求項２】
包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の両端部近傍の外周に夫々環状帯体を巻回し、該包装体本体の後面側の環状帯体と該包装体本体との間に使用者が装着するベルトを通し、該ベルトに該包装体本体を保持させるように構成したことを特徴とする携帯用のティッシュペーパー包装体。
【請求項３】
携帯用のティッシュペーパー包装体を収納自在の袋状の収納バッグであって、該収納バッグのバッグ本体前面に該ティッシュペーパー包装体を出し入れ自在の開口部が形成されると共に、該開口部はティッシュペーパー包装体からティッシュペーパーを取り出せるように形成され、且つ、バッグ本体後面に帯体が両端部をバッグ本体に固着されて設けられ、該バッグ本体後面と帯体との間に形成される隙間に使用者が装着するベルトを通し、該ベルトに該バッグ本体を保持させるように構成したことを特徴とする携帯用のティッシュペーパー包装体収納バッグ。
【請求項４】
携帯用のティッシュペーパー包装体を収納自在の収納ケースであって、該収納ケースのケース本体前面にティッシュペーパー包装体からティッシュペーパーを取出し自在の取出用開口部を形成すると共に、該ケース本体の上面、側面、又は前面にティッシュペーパー包装体を出し入れする開口部を形成し、該ケース本体の後面に使用者が装着するベルトを保持する保持部を設け、該保持部を介して該ベルトに該ケース本体を保持させるように構成したことを特徴とする携帯用のティッシュペーパー包装体収納ケース。
【請求項５】
上記保持部は、その両端部がケース本体後面に固着され、該ケース本体との間に上記ベルトを通すための所定間隙を形成するように構成されていることを特徴とする請求項４記載の携帯用のティッシュペーパー包装体収納ケース。
【請求項６】
上記保持部は、その一端部がケース本体後面に固着され、上記ベルトに係止するため鈎状に形成されていることを特徴とする請求項４記載の携帯用のティッシュペーパー包装体収納ケース。
【考案の詳細な説明】
【技術分野】
【０００１】
本考案は、取出口よりティッシュペーパーを取り出せるように構成された携帯用のティッシュペーパー包装体であって、該ティッシュペーパー包装体を容易に携帯でき、且つ、ティッシュペーパー包装体内のティッシュペーパーを容易に取り出せる携帯用ティッシュペーパー包装体、包装体収納バッグ及び包装体収納ケースに関する。
【背景技術】
【０００２】
近年、袋体内部に複数枚の紙片状のティッシュペーパーが折り畳まれ重ねて収納され、袋体上面にティッシュペーパーを取り出すための取出口が形成され、取出口よりティッシュペーパーを取り出せるように構成された携帯用のティッシュペーパー包装体が広く普及している。
【０００３】
そして、例えば、特許文献１にも携帯用のティッシュペーパー包装体に関連する記載がなされている。特許文献１にはティッシュペーパーを更に円滑に取り出すことができる携帯ティッシュペーパー用ケースが記載されている。
【０００４】
又、特許文献２にも、携帯用のティッシュペーパー包装体に関連する記載がなされており、特許文献２には、ティッシュペーパーを取り出す際の操作性を良好にすると共に、取り出したティッシュペーパーの使い勝手を高めた携帯用ティッシュペーパー包装体が記載されている。
【特許文献１】特開平１１−２０８７４７号公報
【特許文献２】特開２００４−４９３２６号公報
【考案の開示】
【考案が解決しようとする課題】
【０００５】
然しながら、市販の携帯用のティッシュペーパー包装体はティッシュペーパーを取り出す時に、包装体を保持する必要があり、又、包装体は携帯するためにポケット、バッグ、鞄等内に収納するが、取り出す手間があり、更に、収納場所を失念した時等、収納場所を探すことになり、例えば、風邪や花粉症等で、緊急にティッシュペーパーを必要な時に、間に合わないという問題がある。
【０００６】
一方、前述した特許文献１及び２は、ティッシュペーパーの取出しを円滑にしたもの、或いは、取り出す際の操作性を良好にしたものであるが、前記問題を解決するものではない。
【０００７】
以上の現状に鑑み、本考案は、ティッシュペーパーを容易に携帯出来ると共に、緊急時にもティッシュペーパーの取出しが極めて容易で、安価な携帯用ティッシュペーパー包装体、包装体収納バッグ及び包装体収納ケースを提供することを目的とする。
【課題を解決するための手段】
【０００８】
上記の課題を解決すべく、本考案は以下の構成を提供する。
請求項１に係る考案は、包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の後面に、平行する複数本のミシン目を刻設し、該ミシン目を破断することにより偶数個の開口部を形成し、該偶数個の開口部に使用者が装着するベルトを順次出し入れする如く貫通させ、該ベルトに該包装体本体を保持させるように構成したことを特徴とする携帯用のティッシュペーパー包装体を提供するものである。
【０００９】
請求項２に係る考案は、包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の両端部近傍の外周に夫々環状帯体を巻回し、該包装体本体の後面側の環状帯体と該包装体本体との間に使用者が装着するベルトを通し、該ベルトに該包装体本体を保持させるように構成したことを特徴とする携帯用のティッシュペーパー包装体を提供するものである。
【００１０】
請求項３に係る考案は、携帯用のティッシュペーパー包装体を収納自在の袋状の収納バッグであって、該収納バッグのバッグ本体前面に該ティッシュペーパー包装体を出し入れ自在の開口部が形成されると共に、該開口部はティッシュペーパー包装体からティッシュペーパーを取り出せるように形成され、且つ、バッグ本体後面に帯体が両端部をバッグ本体に固着されて設けられ、該バッグ本体後面と帯体との間に形成される隙間に使用者が装着するベルトを通し、該ベルトに該バッグ本体を保持させるように構成したことを特徴とする携帯用のティッシュペーパー包装体収納バッグを提供するものである。
【００１１】
請求項４に係る考案は、携帯用のティッシュペーパー包装体を収納自在の収納ケースであって、該収納ケースのケース本体前面にティッシュペーパー包装体からティッシュペーパーを取出し自在の取出用開口部を形成すると共に、該ケース本体の上面、側面、又は前面にティッシュペーパー包装体を出し入れする開口部を形成し、該ケース本体の後面に使用者が装着するベルトを保持する保持部を設け、該保持部を介して該ベルトに該ケース本体を保持させるように構成したことを特徴とする携帯用のティッシュペーパー包装体収納ケースを提供するものである。
【００１２】
請求項５に係る考案は、上記保持部は、その両端部がケース本体後面に固着され、該ケース本体との間に上記ベルトを通すための所定間隙を形成するように構成されていることを特徴とする請求項４記載の携帯用のティッシュペーパー包装体収納ケースを提供するものである。
【００１３】
請求項６に係る考案は、上記保持部は、その一端部がケース本体後面に固着され、上記ベルトに係止するため鈎状に形成されていることを特徴とする請求項４記載の携帯用のティッシュペーパー包装体収納ケースを提供するものである。
【考案の効果】
【００１４】
本考案の請求項１記載の考案によれば、包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の後面に、平行する複数本のミシン目を刻設し、該ミシン目を破断することにより偶数個の開口部を形成し、該偶数個の開口部に使用者が装着するベルトを順次出し入れする如く貫通させ、該ベルトに該包装体本体を保持させるように構成した携帯用のティッシュペーパー包装体を提供するので、携帯用のティッシュペーパー包装体が前記ミシン目を破断して形成される開口部を介して、ベルトに固定されて保持され、ティッシュペーパーを容易に携帯出来ると共に、緊急時にもティッシュペーパーの取出しが極めて容易で、且つ、安価な携帯用ティッシュペーパー包装体を提供できる。
【００１５】
請求項２記載の考案によれば、包装体本体内にティッシュペーパーが折り畳まれ重ねて収納され、包装体本体の前面にティッシュペーパー取出口が形成され、該取出口よりティッシュペーパーを取り出せるように構成された携帯用のティッシュペーパー包装体に於いて、前記包装体本体の両端部近傍の外周に夫々環状帯体を巻回し、該包装体本体の後面側の環状帯体と該包装体本体との間に使用者が装着するベルトを通し、該ベルトに該包装体本体を保持させるように構成した携帯用のティッシュペーパー包装体を提供するので、携帯用のティッシュペーパー包装体が環状帯体を介してベルトに固定されて保持され、ティッシュペーパーを容易に携帯出来ると共に、緊急時にもティッシュペーパーの取出しが極めて容易で、且つ、安価な携帯用ティッシュペーパー包装体を提供できる。
【００１６】
請求項３記載の考案によれば、携帯用のティッシュペーパー包装体を収納自在の袋状の収納バッグであって、該収納バッグのバッグ本体前面に該ティッシュペーパー包装体を出し入れ自在の開口部が形成されると共に、該開口部はティッシュペーパー包装体からティッシュペーパーを取り出せるように形成され、且つ、バッグ本体後面に帯体が両端部をバッグ本体に固着されて設けられ、該バッグ本体後面と帯体との間に形成される隙間に使用者が装着するベルトを通し、該ベルトに該バッグ本体を保持させるように構成した携帯用のティッシュペーパー包装体収納バッグを提供するので、携帯用のティッシュペーパー包装体がティッシュペーパー包装体収納バッグ内に収納されて保持され、ティッシュペーパー包装体収納バッグがベルトに保持されることにより、ティッシュペーパーを容易に携帯出来ると共に、緊急時にもティッシュペーパーの取出しが極めて容易で、且つ、安価な携帯用ティッシュペーパー包装体収納バッグを提供できる。
【００１７】
請求項４記載の考案によれば、携帯用のティッシュペーパー包装体を収納自在の収納ケースであって、該収納ケースのケース本体前面にティッシュペーパー包装体からティッシュペーパーを取出し自在の取出用開口部を形成すると共に、該ケース本体の上面、側面、又は前面にティッシュペーパー包装体を出し入れする開口部を形成し、該ケース本体の後面に使用者が装着するベルトを保持する保持部を設け、該保持部を介して該ベルトに該ケース本体を保持させるように構成した携帯用のティッシュペーパー包装体収納ケースを提供するので、携帯用のティッシュペーパー包装体がティッシュペーパー包装体収納ケース内に収納されて保持され、収納ケースがベルトに保持されるので、ティッシュペーパーを容易に携帯出来ると共に、緊急時にもティッシュペーパーの取出しが極めて容易で、且つ、安価な携帯用ティッシュペーパー包装体収納ケースを提供できる
【００１８】
請求項５記載の考案によれば、上記保持部は、その両端部がケース本体後面に固着され、該ケース本体との間に上記ベルトを通すための所定間隙を形成するように構成されているので、請求項４記載の考案の効果に加え、前記保持部にベルトを通し、ケース本体をベルトに容易に保持することができる。
【００１９】
請求項６記載の考案によれば、上記保持部は、その一端部がケース本体後面に固着され、上記ベルトに係止するため鈎状に形成されているので、請求項４記載の考案の効果に加え、前記保持部をベルトに係止し、ケース本体をベルトに容易に保持することができる。
【考案を実施するための最良の形態】
【００２０】
以下、実施例を示した図面を参照しつつ本考案の実施の形態を説明する。尚、説明の都合上、本考案の各実施例の説明に於いて、先の実施例に説明した構成部品と同様の構成部品は同じ符号を用いて示し、その説明は省略する。
【００２１】
図１に於いて、１は本考案の第１実施例の携帯用のティッシュペーパー包装体であり、ティッシュペーパー包装体１の包装体本体２内にティッシュペーパー３が折り畳まれ重ねて収納され、包装体本体２の前面にティッシュペーパー取出口４が形成され、取出口４よりティッシュペーパー３を取り出せるように構成され、前記包装体本体２の後面に、平行する複数本のミシン目５，５…が刻設されている。
【００２２】
而して、前記ティッシュペーパー包装体１のミシン目５，５…を破断して偶数個、好適には２又は４個の開口部６，６…を形成し、開口部６，６…内に、例えば、使用者がズボン、又は、パンツ等の衣類等と共に腹部に装着するベルト７を順次出し入れする如く貫通させて、ティッシュペーパー包装体１をベルト７に保持させると、ベルト７を使用者が装着した状態でティッシュペーパー包装体１を容易に携帯することが出来ると共に、ティッシュペーパー包装体１が取り出しやすい位置に装着されて確実に保持されているので、ティッシュペーパー３の取り出し時にティッシュペーパー包装体１が動くことがなく、平時及び緊急時に於いて、ティッシュペーパー３の取り出しが容易である。又、携帯用ティッシュペーパー包装体１自体も簡素であり、安価に提供できる。
【００２３】
尚、前記ベルト７は、ズボン、又は、パンツ等の衣類等に装着するベルトに限らず、前記ティッシュペーパー包装体１のためにのみ装着するベルト等、他のベルトであっても良く、ウエストポーチ等の腹部に装着するバッグのベルトでも良く、或いは、他の種々の形態のバッグのベルト部分であっても良い。然る時も同様の効果が期待できる。
【００２４】
図２に於いて、１１は本考案の第２実施例の携帯用のティッシュペーパー包装体であり、ティッシュペーパー包装体１１の包装体本体１２内にティッシュペーパー３が折り畳まれ重ねて収納され、包装体本体１２の前面にティッシュペーパー取出口４が形成され、該取出口４よりティッシュペーパー３を取り出せるように構成されており、更に、前記包装体本体１２の両端部近傍の外周に夫々環状帯体１３，１３が巻回されている。
【００２５】
而して、前記ティッシュペーパー包装体１１の包装体本体１２の後面側の環状帯体１３，１３と包装体本体１２との間に使用者が装着するベルト７を通し、ベルト７に包装体本体１２を保持させると、ティッシュペーパー包装体１１を容易に携帯することが出来ると共に、ティッシュペーパー包装体１１がティッシュペーパー３の取り出しやすい位置に装着されて確実に保持されているので、ティッシュペーパー３の取り出し時にティッシュペーパー包装体１１が動くことがなく、平時及び緊急時に於いて、ティッシュペーパー３の取り出しが容易である。又、携帯用ティッシュペーパー包装体１１自体も簡素であり、安価に提供できる。
【００２６】
尚、前記環状帯体１３は、包装体本体１２と同じ材料で形成しても良く、他の、合成樹脂、布、紙、ゴム等で形成しても良い。又、環状帯体１３は前記包装体本体１２に固定しても良く、環状帯体１３に弾性のあるものを使用して、包装体本体１２自体を弾圧しても良く、或いは、環状帯体１３に面ファスナーを用いても良い。更に、環状帯体１３に弾性の環状帯体を使用する場合は、先に、環状帯体１３内にベルト７を通した後、環状帯体１３内にティッシュペーパー包装体２２を挿入してティッシュペーパー包装体２２を弾圧させることもできる。
【００２７】
図３に於いて、２１は本考案の第３実施例の携帯用のティッシュペーパー包装体収納バッグであり、ティッシュペーパー包装体収納バッグ２１は、布、紙、又は、軟質樹脂フィルム等で形成され、携帯用のティッシュペーパー包装体２２を収納自在の袋状の収納バッグであって、ティッシュペーパー包装体収納バッグ２１のバッグ本体２３前面にティッシュペーパー包装体２２を出し入れ自在の開口部２４が例えばバッグ本体２３前面の中央部に長手方向に延びて形成されると共に、開口部２４はティッシュペーパー包装体２２からティッシュペーパー３を取り出せるように形成され、且つ、バッグ本体２３後面にバッグ本体２３と同材料又は他の材料から成る可撓性の１又は２枚の帯体２５，２５が両端部をバッグ本体２３に固着されて設けられている。
【００２８】
而して、前記ティッシュペーパー包装体収納バッグ２１のバッグ本体２３の後面側の帯体２５，２５とバッグ本体２３との間に使用者が装着するベルト７を通し、ベルト７にバッグ本体２３を保持させ、前記開口部２４からティッシュペーパー包装体２２をバッグ本体２３内に収納すると、ティッシュペーパー包装体２２を容易に携帯することが出来ると共に、ティッシュペーパー包装体２２が取り出しやすい位置に装着されて確実に保持されているので、ティッシュペーパー３の取り出し時にティッシュペーパー包装体２２が動くことがなく、平時及び緊急時に於いて、ティッシュペーパー３の取り出しが容易である。又、ティッシュペーパー包装体収納バッグ２１自体も簡素であり、安価に提供できる。
【００２９】
尚、前記帯体２５は、ゴム等の弾性体でも良く、或いは、面ファスナーを備えたものでも良い。又、図示は省略するが、前記開口部２４に代えて、又は、追加してバッグ本体２３の上面又は側面にティッシュペーパー包装体２２を出し入れする開口部を設けても良い。
【００３０】
図４に於いて、３１は本考案の第４実施例の携帯用のティッシュペーパー包装体収納ケースであり、ティッシュペーパー包装体収納ケース３１は、硬質プラスチック、木材、又は、紙等で形成され、携帯用のティッシュペーパー包装体２２を収納自在の収納ケースであって、ティッシュペーパー包装体収納ケース３１のケース本体３２前面にティッシュペーパー包装体２２からティッシュペーパー３を取出し自在の取出用開口部３３を形成すると共に、ケース本体３２の上面にティッシュペーパー包装体２２を出し入れする開口部３４を形成し、ケース本体３２の後面に使用者が装着するベルト７を保持する保持部３５，３５を設けている。
【００３１】
即ち、保持部３５，３５は、夫々その両端部がケース本体３２後面に固着され、ケース本体３２との間にベルト７を通すための所定間隙を形成するように構成されている。
【００３２】
而して、前記ティッシュペーパー包装体収納ケース３１の前記保持部３５，３５とケース本体３２との間に使用者が装着するベルト７を通し、ベルト７にケース本体３２を保持させ、前記開口部３４からティッシュペーパー包装体２２をケース本体３２内に収納すると、ティッシュペーパー包装体２２を容易に携帯することが出来ると共に、ティッシュペーパー包装体２２がティッシュペーパー３の取り出しやすい位置に装着されて確実に保持されているので、ティッシュペーパー３の取り出し時にティッシュペーパー包装体２２が動くことがなく、平時及び緊急時に於いて、前記取出用開口部３３からのティッシュペーパー３の取り出しが容易である。又、ティッシュペーパー包装体収納ケース３１自体も簡素であり、安価に提供できる。
【００３３】
尚、前記保持部３５は、ケース本体３２と同じ材料で形成しても良く、他の材料で形成しても良い。
【００３４】
図５に於いて、４１は本考案の第５実施例の携帯用のティッシュペーパー包装体収納ケースであり、ティッシュペーパー包装体収納ケース４１は、前記ティッシュペーパー包装体収納ケース（図４に於いて３１）を変形したものであり、前記保持部（図４に於いて３５，３５）に代えて、その一端部（図に於いて上端部）がケース本体４２後面に固着され、ベルト７に係止させるため鈎状に形成されている保持部４３，４３が設けられ、更に、前記開口部（図４に於いて３４）、及び、取出用開口部（図４に於いて３３）に代えて、ケース本体４２の前面に前記取出用開口部（図４に於いて３３）よりも比較的大であり、前記ティッシュペーパー包装体２２を出し入れ自在の開口部４４を設けたものである。
【００３５】
而して、前記ティッシュペーパー包装体収納ケース４１の前記保持部４３をベルト７に係止して、ベルト７にケース本体４２を保持させ、前記開口部４４からティッシュペーパー包装体２２をケース本体４２内に収納すると、ティッシュペーパー包装体２２を容易に携帯することが出来ると共に、ティッシュペーパー包装体２２が取り出しやすい位置に装着されて確実に保持されているので、ティッシュペーパー３の取り出し時にティッシュペーパー包装体２２が動くことがなく、平時及び緊急時に於いて、前記開口部４４からのティッシュペーパー３の取り出しが容易である。又、ティッシュペーパー包装体収納ケース４１自体も簡素であり、安価に提供できる。
【００３６】
尚、前記保持部４３は、ケース本体４２と同じ材料で形成しても良く、他の材料で形成しても良い。
【００３７】
又、前記開口部４４はケース本体４２の前面に形成したが、ケース本体４２の側面に形成しても良く、或いは、ティッシュペーパー包装体２２を出し入れする開口部４４をケース本体４２の前面、上面、側面のうち、２つ以上に形成することも可能である。
【００３８】
更に、前記ティッシュペーパー包装体収納バッグ２１、ティッシュペーパー包装体収納ケース３１，４１に於いては、それらの後面、又は、側面に所定のスペースと開口部を有する別のバッグ又はケースを一体に、或いは、隣接して設け、その開口部からスペース内に使用済みティッシュペーパーを収納できるようにすることも可能である。
【図面の簡単な説明】
【００３９】
【図１】（ａ）本考案の第１実施例の携帯用のティッシュペーパー包装体をベルトに取り付けた状態を示す斜視図である。（ｂ）本考案の第１実施例の携帯用のティッシュペーパー包装体の背面から見た斜視図である。
【図２】（ａ）本考案の第２実施例の携帯用のティッシュペーパー包装体をベルトに取り付けた状態を示す斜視図である。（ｂ）本考案の第２実施例の携帯用のティッシュペーパー包装体の背面から見た斜視図である。
【図３】（ａ）本考案の第３実施例の携帯用のティッシュペーパー包装体収納バッグをベルトに取り付けた状態を示す斜視図である。（ｂ）本考案の第３実施例の携帯用のティッシュペーパー包装体収納バッグの背面から見た斜視図である。
【図４】（ａ）本考案の第４実施例の携帯用のティッシュペーパー包装体収納ケースをベルトに取り付けた状態を示す斜視図である。（ｂ）本考案の第４実施例の携帯用のティッシュペーパー包装体収納ケースの背面から見た斜視図である。
【図５】（ａ）本考案の第５実施例の携帯用のティッシュペーパー包装体収納ケースをベルトに取り付けた状態を示す斜視図である。（ｂ）本考案の第５実施例の携帯用のティッシュペーパー包装体収納ケースの背面から見た斜視図である。
【符号の説明】
【００４０】
１，１１，２２  ティッシュペーパー包装体
２，１２  包装体本体
３  ティッシュペーパー
４  取出口
５  ミシン目
６，２４，３４，４４  開口部
７  ベルト
１３  環状帯体
２１  ティッシュペーパー包装体収納バッグ
２３  バッグ本体
２５  帯体
３１，４１  ティッシュペーパー包装体収納ケース
３２，４２  ケース本体
３３  取出用開口部
３５，４３  保持部
【図１】
0003111693.tif 000003
【図２】
0003111693.tif 000004
【図３】
0003111693.tif 000005
【図４】
0003111693.tif 000006
【図５】
0003111693.tif 000007